(57)【特許請求の範囲】
【請求項１】
軸方向に延びる枢軸と、前記枢軸に旋回可能に取り付けられた第１および第２羽根と、前記第１および第２羽根を旋回方向に付勢するバネとを有するとともに、前記第１および第２羽根が、各々、取付面およびその反対側の表面を貫通する複数の取付孔を有し、前記取付孔に挿入されるファスナ部材を含むファスナ機構を有する蝶番において、
前記バネは、前記軸方向に離間する一対のコイル部と、前記コイル部を連結するバネ連結部と、前記コイル部の前記軸方向両外端に位置するとともに前記軸方向に延びる第１および第２バネ脚部とを有し、
前記第１羽根は、前記軸方向に離間して前記枢軸が挿入される第１ナックル管と、前記第１ナックル管を中心に旋回する第１羽根部とを有し、
前記第１ナックル管は、外周に二つの爪部を有し、前記二つの爪部のうち、一方の爪部は、前記第１バネ脚部を支持可能であって、前記二つの爪部のうち、他方の爪部は、前記第２バネ脚部を支持可能であり、
前記第２羽根は、前記枢軸が挿入される第２ナックル管と、前記第２ナックル管を中心に旋回する第２羽根部とを有し、前記第２ナックル管の外周には、前記軸方向に延びるとともに前記バネ連結部を支持する溝が形成され、
前記ファスナ部材は、前記取付孔に挿入される複数のピンと、前記ピンを互いに連結するピン連結部とを含み、
前記取付孔は、前記第１および第２羽根部に形成され、前記第１および第２羽根部は、各々、前記取付孔に重なるとともに前記表面に形成され前記ピン連結部が嵌合される嵌合凹部と、前記取付孔が位置する前記取付面から突出する複数の可撓性の脚片を有する係合部とを有し、前記表面から前記取付孔に前記ピンを挿入することによって、前記脚片が互いに離間する方向に変形されることを特徴とする前記蝶番。
【請求項２】
前記嵌合凹部の厚さ方向の長さ寸法は、前記ピン連結部のそれ以上とされる請求項１記載の蝶番。
【請求項３】
前記係合部は、前記取付孔に連なるとともに前記脚片の径方向中心に前記ピンが挿入されるピン孔が形成され、前記脚片は、前記取付面側に位置する基部と、その反対側に位置する先端部とを有し、前記ピンの挿入前において、前記基部から前記先端部に向かって前記ピン孔の径が小さくされ、前記先端部における径は前記ピンの径よりも小さくされる請求項１または２記載の蝶番。
【請求項４】
前記二つの爪部は、前記第１ナックル管の周方向において互いに対向し、前記軸方向に延びて前記第１および第２バネ脚部を支持可能な溝を形成している請求項１〜３のいずれかに記載の蝶番。
【請求項５】
前記第１羽根は、前記第１羽根部の一部によって形成されて前記第１ナックル管の軸方向外側に位置し、前記第１羽根と前記第２羽根との旋回を規制する第１ストッパ部を有する請求項１〜４のいずれかに記載の蝶番。
【請求項６】
前記第２羽根は、前記第２羽根部の一部によって形成されて前記第２ナックル管の軸方向外側に位置し、前記第１羽根と前記第２羽根との旋回を規制する第２ストッパ部を有する請求項１〜５のいずれかに記載の蝶番。
【発明の詳細な説明】
【技術分野】
【０００１】
この発明は、蝶番などの取付物品を筐体等に取り付けるのに用いるファスナ機構を有する蝶番に関し、さらに詳細には、筐体等の一方の面からの作業で取付物品を取り付けることができるファスナ機構を有する蝶番に関する。
【背景技術】
【０００２】
従来、蝶番を取り付けるためのファスナ機構として、スタッドボルトおよびナットを用いるものが知られている。例えば、特許文献１によれば、蝶番の箱体側羽根部および扉体側羽根部を、複数のスタッドボルトおよびナットを用いて、それぞれ箱体本体および扉体に取り付けることとしている。
【先行技術文献】
【特許文献】
【０００３】
【特許文献１】特開２００６−２９１４８４（ＪＰ２００６−２９１４８４Ａ）
【発明の概要】
【発明が解決しようとする課題】
【０００４】
上記のようなファスナ機構において、スタッドボルトは、各羽根部の取付孔と箱体本体および扉体の取付孔とを貫通するように挿入され、箱体本体および扉体のスタッドボルトの取り付け面とは反対の面からナットで固定される。ナットの固定に際して、箱体本体および扉体の反対側からの工具等による作業が必要である。したがって、箱体本体および扉体の反対側に工具等が入らない場合には、これら蝶番を固定することができないという問題があった。また、複数のスタッドボルトのそれぞれに対してナットを取り付けなければならず、蝶番の固定に手間がかかるという問題もあった。
【０００５】
この発明は、蝶番を一方の面からの作業で容易に取り付けることができるファスナ機構を用いた蝶番を提供することを課題とする。
【課題を解決するための手段】
【０００６】
本発明は、軸方向に延びる枢軸と、前記枢軸に旋回可能に取り付けられた第１および第２羽根と、前記第１および第２羽根を旋回方向に付勢するバネとを有するとともに、前記第１および第２羽根が、各々、取付面およびその反対側の表面を貫通する複数の取付孔を有し、前記取付孔に挿入されるファスナ部材を含むファスナ機構を有する蝶番の改良にかかわる。
【０００７】
本発明は、前記蝶番において、前記バネは、前記軸方向に離間する一対のコイル部と、前記コイル部を連結するバネ連結部と、前記コイル部の前記軸方向両外端に位置するとともに前記軸方向に延びる第１および第２バネ脚部とを有し、前記第１羽根は、前記軸方向に離間して前記枢軸が挿入される第１ナックル管と、前記第１ナックル管を中心に旋回する第１羽根部とを有し、前記第１ナックル管は、外周に二つの爪部を有し、前記二つの爪部のうち、一方の爪部は、前記第１バネ脚部を支持可能であって、前記二つの爪部のうち、他方の爪部は、前記第２バネ脚部を支持可能であり、前記第２羽根は、前記枢軸が挿入される第２ナックル管と、前記第２ナックル管を中心に旋回する第２羽根部とを有し、前記第２ナックル管の外周には、前記軸方向に延びるとともに前記バネ連結部を支持する溝が形成され、前記ファスナ部材は、前記取付孔に挿入される複数のピンと、前記ピンを互いに連結するピン連結部とを含み、前記取付孔は、前記第１および第２羽根部に形成され、前記第１および第２羽根部は、各々、前記取付孔に重なるとともに前記表面に形成され前記ピン連結部が嵌合される嵌合凹部と、前記取付孔が位置する前記取付面から突出する複数の可撓性の脚片を有する係合部とを有し、前記表面から前記取付孔に前記ピンを挿入することによって、前記脚片が互いに離間する方向に変形されることを特徴とする。
【０００８】
この発明の実施態様のひとつとして、前記嵌合凹部の厚さ方向の長さ寸法は、前記ピン連結部のそれ以上とされる。
【０００９】
他の実施態様のひとつとして、前記係合部は、前記取付孔に連なるとともに前記脚片の径方向中心に前記ピンが挿入されるピン孔が形成され、前記脚片は、前記取付面側に位置する基部と、その反対側に位置する先端部とを有し、前記ピンの挿入前において、前記基部から前記先端部に向かって前記ピン孔の径が小さくされ、前記先端部における径は前記ピンの径よりも小さくされる。
【００１０】
他の実施態様のひとつとして、前記二つの爪部は、前記第１ナックル管の周方向において互いに対向し、前記軸方向に延びて前記第１および第２バネ脚部を支持可能な溝を形成している。
【００１１】
他の実施態様のひとつとして、前記第１羽根は、前記第１羽根部の一部によって形成されて前記第１ナックル管の軸方向外側に位置し、前記第１羽根と前記第２羽根との旋回を規制する第１ストッパ部を有する。
他の実施態様のひとつとして、前記第２羽根は、前記第２羽根部の一部によって形成されて前記第２ナックル管の軸方向外側に位置し、前記第１羽根と前記第２羽根との旋回を規制する第２ストッパ部を有する。
【発明の効果】
【００１２】
本発明において、ファスナ機構は、取付部材本体である第１および第２羽根に形成された係合部と、係合部に挿入可能なピンを有するファスナ部材とを有する。係合部は、可撓性を有する複数の脚片を有し、ピンを挿入することによって脚片が径方向外側に広がるから、取付部材本体を筐体本体等に取り付けることができる。したがって、筐体本体の一方の面からの作業によって、容易に取付部材本体を取り付けることができる。また、複数のピンは、ピン連結部によって連結されているからより一層、取付部材本体の取り付けが容易になる。
【図面の簡単な説明】
【００１３】
【図１】取付部材本体の一例である蝶番の使用状態を示す斜視図。
【図２】蝶番の分解組立図。
【図３】蝶番の取付面側から見た分解斜視図。
【図４】図１のＩＶ−ＩＶ線断面図であって、ファスナ部材の挿入前後を示した図。
【図５】蝶番の斜視図。
【図６】図５のＶＩ−ＶＩ線断面図。
【図７】図５のＶＩＩ−ＶＩＩ線断面図。
【図８】蝶番の斜視図。
【図９】図８のＩＸ−ＩＸ線断面図。
【図１０】図８のＸ−Ｘ線断面図。
【発明を実施するための形態】
【００１４】
図１〜４は、この発明の実施態様の取付部材本体の一例である蝶番を示したものである。図１は蝶番の使用状態の説明図、図２は図１の分解組立図、図３は蝶番の取付面側から見た分解斜視図、図４は図１のＩＶ−ＩＶ線断面図であって、下方がファスナ部材の挿入前、上方がファスナ部材の挿入後を示した模式図である。
【００１５】
蝶番１は、軸方向に延びる枢軸３０と、枢軸３０を中心に旋回する第１および第２羽根１０，２０と、第１および第２羽根１０，２０を時計回りまたは反時計回り方向に付勢するバネ４０とを有する。第１羽根１０は、例えば、筐体本体２の枠に取り付けられ、第２羽根２０は、例えば、筐体本体２に対して旋回可能な蓋等の旋回体３に取り付けられ、これら第１および第２羽根１０，２０が枢軸３０を中心に旋回することによって、旋回体３を旋回させることができる。筐体本体２および旋回体３は、例えば、金属板などの板状部材で形成することができる。
【００１６】
バネ４０は、軸方向に離間し、互いに捩り向きが逆である第１および第２コイル部４１，４２と、これら第１および第２コイル部４１，４２を連結するバネ連結部４３と、第１および第２コイル部４１，４２の軸方向外端に位置する第１および第２バネ脚部４４，４５とを有する、いわゆるダブルトーションバネを用いている。第１コイル部４１が、例えば時計回りに巻かれている場合には、第２コイル部４２は反時計回りに巻かれ、これら第１コイル部４１と第２コイル部４２とが逆巻きにされている。バネ連結部４３、第１および第２バネ脚部４４，４５は、軸方向に延びている。
【００１７】
第１羽根１０は、軸方向に離間する一対の第１ナックル管１１と、第１ナックル管１１と一体的に旋回し筐体本体２に接合される第１羽根部１２とを有する。第１羽根部１２は、筐体本体２に当接する取付面１２ａと、その反対側の表面１２ｂとを有する。第１ナックル管１１は、その内周面で枢軸３０が挿入される第１軸孔１３を形成している。第１ナックル管１１の外周には、第１バネ脚部４４または第２バネ脚部４５を支持可能な第１溝１４が形成されている。第１溝１４は、軸方向に延びるとともに、その周方向の両端には、軸方向に延び互いに対向する第１内側爪部１５ａと第１外側爪部１５ｂとが形成され、これら爪部１５ａ，１５ｂで第１バネ脚部４４または第２バネ脚部４５が第１溝１４から抜けるのを防止している。第１内側爪部１５ａと第１外側爪部１５ｂとは、第１溝１４の周方向の対向離間寸法を小さくすることによって、第１溝１４をアリ溝状に形成している。
【００１８】
第１軸孔１３の軸方向内側端部には、第１および第２コイル部４１，４２の外端を支持する第１凹部１６がそれぞれ形成されている。第１軸孔１３と第１凹部１６とによって形成された段部によって、第１および第２コイル部４１，４２がそれぞれ支持される。また、両第１ナックル管１１の軸方向の間には、第１羽根部１２の一部によって形成された第１ストッパ部１８を有する。第１ストッパ部１８は、取付面１２ａおよび表面１２ｂを繋ぐ面によって形成され、これら面１２ａ，１２ｂに対してほぼ垂直にされている。
【００１９】
第２羽根２０は、軸方向中央部分に位置する第２ナックル管２１と、第２ナックル管２１と一体的に旋回し旋回体３に接合される第２羽根部２２とを有する。第２羽根部２２は、旋回体３に当接する取付面２２ａと、その反対側の表面２２ｂとを有する。第２ナックル管２１は、その内周面で枢軸３０が挿入される第２軸孔２３を形成している。第２ナックル管２１の外周には、バネ連結部４３を支持可能な第２溝２４が形成されている。第２溝２４は、軸方向に延びるとともに、その周方向に位置する両端には、軸方向に延びる第２内側爪部２５ａおよび第２外側爪部２５ｂが形成されて、第２溝２４からバネ連結部４３が抜けるのを防止している。これら爪部２５ａ，２５ｂは、第２溝２４の周方向の対向離間寸法を小さくすることによって、第２溝２４をアリ溝状に形成している。
【００２０】
第２軸孔２３の軸方向外側端縁には、第１および第２コイル部４１，４２のそれぞれの内端を支持する第２凹部２６が形成されている。第２軸孔２３と第２凹部２６とに形成された段部によって、第１および第２コイル部４１，４２が支持される。また、第２ナックル管２１の軸方向外側には、第２羽根部２２の一部によって形成された第２ストッパ部２８を有する。第２ストッパ部２８は、取付面２２ａおよび表面２２ｂを繋ぐ面によって形成され、これら面２２ａ，２２ｂに対してほぼ垂直にされている。
【００２１】
第１羽根１０と第２羽根２０とは、両第１ナックル管１１の間に第２ナックル管２１が位置し、第１および第２軸孔１３，２３が軸方向に一致するように組みつけられる。このように組みつけられる際、第１凹部１６および第２凹部２６には第１および第２コイル部４１，４２が配置されることで、バネ４０が所定位置に支持されるようにしている。第１および第２バネ脚部４４，４５は、第１溝１４で支持され、バネ連結部４３は第２溝２４で支持される。
【００２２】
第１および第２羽根部１２，２２には、筐体本体２または旋回体３に取り付けるためのファスナ機構が形成されている。ファスナ機構は、第１および第２羽根部１２，２２の軸方向に離間する一対の第１および第２取付孔５１，５２と、第１および第２取付孔５１，５２から突出し先端部が全体として截頭円錐状に形成される第１および第２係合部５７，５８とを含む。第１および第２係合部５７，５８は、それぞれの径方向に離間して形成される可撓性の複数の第１および第２脚片５３，５４と、それらの中心に第１および第２取付孔５１，５２のそれぞれに連なって形成される第１および第２ピン孔５５，５６とを有する。第１係合部５７は、筐体本体２の開孔２ａに挿入され、第２係合部５８は、旋回体３の開孔３ａに挿入され、第１および第２ピン孔５５，５６に、ファスナ部材６０のピン６１がそれぞれ挿入される。互いに離間する両ピン６１は、ピン連結部６２によって連結されている。
【００２３】
第１および第２羽根部１２，２２には、ピン連結部６２が嵌合可能な、第１および第２嵌合凹部１７，２７が形成されている。第１および第２嵌合凹部１７，２７にピン連結部６２が嵌合することによって、第１および第２羽根部１２，２２の表面１２ｂ，２２ｂからファスナ部材６０が突出しないようにされている。
【００２４】
図４は、図１のＩＶ−ＩＶ線断面図である。ただし、図面下方はファスナ部材６０の挿入前を示し、上方はファスナ部材６０の挿入後を示したものである。また、図４は、第１羽根１０を示したものであるが、第２羽根２０においても同様であるので、その説明を省略する。図４に示したように、第１および第２嵌合凹部１７，２７の厚さ方向長さ寸法Ｔ１は、ピン連結部６２の厚さ方向長さ寸法Ｔ２と同一か、それよりも大きくされている。したがって、第１および第２嵌合凹部１７，２７にピン連結部６２を嵌合させたときに、第１および第２羽根部１２，２２の表面１２ｂ，２２ｂからファスナ部材６０が突出しないようにすることができる。
【００２５】
図４のファスナ部材６０の挿入前において、第１係合部５７は、取付面１２ａ側に位置する基端５３ａから先端５３ｂに向かって、第１ピン孔５５の径が小さくなるように、すなわち、互いの離間寸法が小さくなるように傾斜されている。この状態において、第１係合部５７の外径は、基端５３ａから先端５３ｂに亘ってほぼ同一径とされている。したがって、第１係合部５７は、開孔２ａに容易に挿入することができる。
【００２６】
ファスナ部材６０のピン６１を第１ピン孔５５に挿入すると、図４の上方に示したように、ピン６１は第１脚片５３を径方向外側に向かって押し広げる。第１脚片５３は可撓性を有するので、ピン６１に沿って先端５３ｂが径方向外側に向かって広がり、第１脚片５３の外径が筐体本体２の開孔２ａよりも大きくなって、第１羽根１０が開孔２ａから抜けないように固定される。
【００２７】
ファスナ部材６０を第１および第２羽根１０,２０の表面１２ｂ，２２ｂから挿入するだけで、第１および第２羽根１０，２０を筐体本体２および旋回体３に取り付けることができる。すなわち、筐体本体２および旋回体３の裏側に手を回したりする必要がない。したがって、例えば、この実施形態のように、板状部材によって筐体本体２および旋回体３が形成され、開孔２ａ，３ａにおいては板状部材が二重にされ、これらの間に工具等を入れることができないような場合にも、第１および第２羽根１０，２０を容易に取り付けることができる。筐体本体２および旋回体３を形成する板状部材は、その厚さが、例えば、約０．８〜１．２ｍｍのものを用いることができる。板状部材が厚すぎると、第１および第２脚片５３，５４が径方向に広がるのを阻害する可能性がある。
【００２８】
一対のピン６１はピン連結部６２によって互いに連結されている。したがって、これらピン６１を別々に挿入する必要がなく、その第１羽根１０を容易に筐体本体２に取り付けることができる。
【００２９】
上記のような蝶番１において、互いに捩り向きが逆である第１および第２コイル部４１，４２を有するバネ４０を第１および第２羽根１０，２０に取り付けるだけで、バネ４０の付勢方向を変えることができる。図５および図８は、それぞれバネ４０の捩り向きを逆にしたものであって、筐体本体２および旋回体３に取り付ける前の状態の蝶番１を示したものである。図６，７は図５のＶＩ−ＶＩ線断面図、ＶＩＩ−ＶＩＩ線断面図であり、図９，１０は図８のＩＸ−ＩＸ線断面図、Ｘ−Ｘ線断面図である。
【００３０】
図５に示した蝶番１は、図２に示したように、バネ４０の第１コイル部４１が図面上方に、第２コイル部４２が図面下方に位置するように取り付けられたものである。バネ４０をこのように取り付けることによって、第１羽根１０が矢印Ａ方向に付勢され、第２羽根２０が矢印Ｂ方向に付勢される。このような蝶番１を筐体本体２および旋回体３に取り付ける前においては、第１および第２羽根部１２，２２は、その取付面１２ａ，２２ａを互いに対向させてほぼ直角にされている。
【００３１】
図６に示したように、第１羽根１０の第１溝１４には、第１バネ脚部４４が配置される。なお、図６では、一方の第１ナックル管１１側に位置する第１バネ脚部４４について示しているが、他方の第１ナックル管１１では第２バネ脚部４５が位置している。第２バネ脚部４５については、第１バネ脚部４４と同様であるので、その説明を省略する。第１バネ脚部４４は、第１外側爪部１５ｂが位置する第１溝１４の底部の一側に係合されている。
【００３２】
図７に示したように、第２羽根２０の第２溝２４には、バネ連結部４３が配置される。バネ連結部４３は、第２外側爪部２５ｂが位置する第２溝２４の底部の一側に係合されている。
【００３３】
上記のように取り付けた状態においては、第１羽根１０は、バネ４０によって表面１２ｂから取付面１２ａ向かって、矢印Ａ方向に向かって付勢され、第２羽根２０は、表面２２ｂから取付面２２ａに向かって、矢印Ａ方向とは逆向きの矢印Ｂ方向に向かって付勢されている。このように付勢されることによって、第１および第２バネ脚部４４，４５が第１溝１４に確実に保持され、バネ連結部４３が第２溝２４に確実に保持される。したがって、蝶番１を筐体本体２および旋回体３に取り付ける前の図５における状態においても、バネ４０が外れることなく、組み付け状態を維持することができる。
【００３４】
上記のような組み付け状態においては、第１羽根１０の第１ストッパ部１８が第２羽根２０の取付面２２ａに当接し、第１羽根１０と第２羽根２０とが、矢印Ａおよび矢印Ｂ方向にそれ以上旋回するのを防止している（図７参照）。また、第２羽根２０の第２ストッパ部２８が、第１羽根１０の取付面１２ａに当接し、第１羽根１０と第２羽根２０とが、矢印Ａおよび矢印Ｂ方向にそれ以上旋回するのを防止している（図６参照）。
【００３５】
この蝶番１を筐体本体２および旋回体３に取り付けるには、取付面１２ａ，２２ａを離間させるようにバネ４０を撓ませて、第１羽根１０を矢印Ａ方向と逆向きに、第２羽根２０を矢印Ｂ方向と逆向きに旋回させる。第１および第２羽根１０，２０は、バネ４０の反力によって、矢印Ａおよび矢印Ｂ方向により一層付勢されるから、筐体本体２と旋回体３とは、図１に示した閉鎖位置に付勢され、旋回体３を旋回させない状態にあっては、旋回体３は筐体本体２に対して図１の状態を維持する。
【００３６】
図１の状態から、旋回体３を矢印Ｙ方向に、すなわち開放位置へと旋回させると、バネ４０はさらに撓む。したがって、旋回体３の旋回を止めると、旋回体３はバネ４０の反力によって矢印Ｘ方向に旋回し、再び図１の閉鎖位置へと戻る。すなわち、図５のようにバネ４０が取り付けられた蝶番１を取り付けた筐体本体２および旋回体３においては、筐体本体２に対して旋回体３が閉鎖位置に付勢されることとなる。
【００３７】
図８に示した蝶番１は、図２に示したバネ４０の第１コイル部４１が図面下方に、第２コイル部４２が図面上方に位置するように取り付けられたものである。すなわち、図６に示した蝶番１とは逆向きに付勢されるようにバネ４０が取り付けられたものである。このような蝶番１は、第１羽根１０が矢印Ｃ方向に付勢され、第２羽根２０が矢印Ｄ方向に付勢されている。したがって、蝶番１を筐体本体２および旋回体３に取り付ける前においては、第１および第２羽根部１２，２２は、その表面１２ｂ，２２ｂを互いに対向させて折り畳まれた形状を有する。
【００３８】
図９に示したように、第１羽根１０の第１溝１４には、第１および第２バネ脚部４４，４５がそれぞれ配置される。なお、図９では、一方の第１ナックル管１１に位置する第２バネ脚部４５について示しているが、他方の第１ナックル管１１に位置する第１バネ脚部４４ついても同様であるので、その説明を省略する。第２バネ脚部４５は、第１内側爪部１５ａが位置する第１溝１４の底部の一側に係合されている。
【００３９】
図１０に示したように、第２羽根２０の第２溝２４には、バネ連結部４３が配置される。バネ連結部４３は、第２内側爪部２５ａが位置する第２溝２４の底部の一側に係合されている。このようにバネ連結部４３は、第２溝２４に係合してこれから外れないようにされている。したがって、蝶番１を筐体本体２および旋回体３に取り付ける前の図８における状態においても、バネ４０が外れることなく、組み付け状態を維持することができる。
【００４０】
上記のように組み付けた状態において、第１羽根１０は、バネ４０によって取付面１２ａから表面１２ｂ向かって、矢印Ｃ方向に付勢され、第２羽根２０は、取付面２２ａから表面２２ｂに向かって、矢印Ｃ方向とは逆向きの矢印Ｄ方向に付勢されている。このような状態において、第１ストッパ部１８は、第２羽根２０の表面２２ｂに当接し（図１０参照）、第２ストッパ部２８は、第１羽根１０の表面１２ｂに当接し（図９参照）、第１羽根１０と第２羽根２０とが、それ以上矢印Ｃおよび矢印Ｄ方向に旋回するのを防止している。
【００４１】
この蝶番１を筐体本体２および旋回体３に取り付けるには、バネ４０をさらに撓ませて、表面１２ｂ，２２ｂを離間させるように、第１羽根１０を矢印Ｃ方向とは逆向きに、第２羽根２０を矢印Ｄ方向とは逆向きに旋回させる。第１および第２羽根１０，２０は、バネ４０の反力によって一層矢印Ｃおよび矢印Ｄ方向に付勢されるから、蝶番１を筐体本体２と旋回体３に取り付けた場合には、旋回体３は、図１に示した矢印Ｙ方向に付勢され、開放位置に維持される。旋回体３の開放位置から、図１の閉鎖位置に維持する場合には、図示しないラッチ等のロック機構によって、旋回体３を筐体本体２に係合させるようにすればよい。
【００４２】
上記のような蝶番１では、第１および第２バネ脚部４４，４５を支持する第１溝１４には、第１内外側爪部１５ａ，１５ｂが形成されているから、バネ４０の向きを変更して取り付けた場合でも、第１内外側爪部１５ａ，１５ｂのいずれかによって第１および第２バネ脚部４４，４５を支持することができる。同様に、バネ連結部４３を支持する第２溝２４には、第２内外側爪部２５ａ，２５ｂが形成されているから、バネ４０の向きを変えた場合でも、第２内外側爪部２５ａ，２５ｂのいずれかによってバネ連結部４３を支持することができる。したがって、バネ４０の向きを変更しても、第１および第２羽根１０，２０の構成を変更する必要がないので、バネの付勢の向きを容易に変えることができる。
【００４３】
この実施形態において、取付部材本体として蝶番１を用いているが、これに限られることなく、種々の取付部材本体にこの発明のファスナ機構を用いることができる。また、取付部材本体として蝶番１を用いた場合には、バネ４０は必須の構成要素ではなく、これを有しないものであってもよい。
【００４４】
本発明の明細書および特許請求の範囲において、用語「第１」および「第２」は、同様の要素、位置等を単に区別するために用いられている。蝶番１を構成する各構成部材には、本明細書に記載されている材料のほかに、この種の分野において通常用いられている、各種の公知の材料を制限なく用いることができる。
【符号の説明】
【００４５】
１    蝶番
１０    第１羽根
１１    第１ナックル管
１２    第１羽根部
１２ａ  取付面
１２ｂ  表面
１７    第１嵌合凹部
２０    第２羽根
２１    第２ナックル管
２２    第２羽根部
２２ａ  取付面
２２ｂ  表面
２７    第２嵌合凹部
３０    枢軸
５１    第１取付孔
５２    第２取付孔
５３    第１脚片
５３ａ  基部
５３ｂ  先端部
５４    第２脚片
５５    第１ピン孔
５６    第２ピン孔
５７    第１係合部
５８    第２係合部
６０    ファスナ部材
６１    ピン
６２    ピン連結部
【図１】
0005395001.tif 000002
【図２】
0005395001.tif 000003
【図３】
0005395001.tif 000004
【図４】
0005395001.tif 000005
【図５】
0005395001.tif 000006
【図６】
0005395001.tif 000007
【図７】
0005395001.tif 000008
【図８】
0005395001.tif 000009
【図９】
0005395001.tif 000010
【図１０】
0005395001.tif 000011